(57)【特許請求の範囲】
【請求項１】
車両情報を表した画像の表示光を射出するプロジェクタ（２）と、
前記表示光が投射されることにより前記画像を表示するスクリーン（１０）と、
を備え、
前記スクリーンは、前記画像が視認される方向の手前側に突出した凸部（１２、１５、１５’）、および奥側に凹んだ凹部（１１ａ、１４ｂ、１４ａ、１４ａ’）を有した形状に形成されており、
前記表示光のうち、前記凸部および前記凹部のいずれか一方である第１部分に投射される表示光が、他方である第２部分に投射される表示光よりも高輝度に設定されていることを特徴とする車両用表示装置。
【請求項２】
前記第１部分（１５）に表示される画像の表示態様を変化させることを特徴とする請求項１に記載の車両用表示装置。
【請求項３】
前記第１部分（１５）は複数並べて配置され、
車両状態の物理量の変化に対応して前記複数の前記第１部分の各々に対する前記画像の表示態様を変化させることを特徴とする請求項１に記載の車両用表示装置。
【請求項４】
前記第１部分（１５）は複数並べて配置され、
前記車両状態の物理量の変化に対応して前記複数の前記第１部分の各々に対する前記画像の表示態様を変化させること、および前記第１部分に対する前記画像の表示態様を変化させること、を切り替えるように設定されていることを特徴とする請求項１に記載の車両用表示装置。
【請求項５】
前記スクリーンは、前記凸部および前記凹部を連結する連結部（１２ａ、１２ｂ、１５ａ、１５ａ’）を有し、
前記連結部に投射される表示光は、前記第１部分に投射される表示光の輝度と前記第２部分に投射される表示光の輝度との間において輝度が変化するように設定されていることを特徴とする請求項１〜４のいずれか１つに記載の車両用表示装置。
【発明の詳細な説明】
【技術分野】
【０００１】
本発明は、プロジェクタから射出された表示光をスクリーンに投射することで、車両情報を表した画像をスクリーンに表示させる車両用表示装置に関する。
【背景技術】
【０００２】
特許文献１には、車速等の車両情報を表した画像の表示光を射出するプロジェクタと、射出された表示光が投射されて上記画像を表示するスクリーンと、を備える表示装置が開示されている。この表示装置に係るスクリーンは、画像が視認される方向に凹凸した形状に形成されており、これにより、画像を立体的に視認させるようにしている。
【先行技術文献】
【特許文献】
【０００３】
【特許文献１】特開２００７−３２６４１９号公報
【発明の概要】
【発明が解決しようとする課題】
【０００４】
この種の表示装置では、上記画像により表現されている仮想物体（例えば車速メータ装置）が実在しているかのようにユーザに錯覚させることが望ましい。しかしながら、従来の表示装置では、スクリーンの凹凸形状に依存した立体感が表現されるに過ぎず、立体感には限界があり、改善の余地があった。
【０００５】
本発明は、上記問題を鑑みてなされたもので、その目的は、画像により表現される仮想物体の立体感をリアルに表現し、この仮想物体を立体的に視認できる車両用表示装置を提供することにある。
【課題を解決するための手段】
【０００６】
本発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、本発明の技術的範囲を限定するものではない。
【０００７】
開示された発明のひとつは、車両情報を表した画像の表示光を射出するプロジェクタ（２）と、表示光が投射されることにより画像を表示するスクリーン（１０）と、を備え、スクリーンは、画像が視認される方向の手前側に突出した凸部（１２、１５、１５’）、および奥側に凹んだ凹部（１１ａ、１４ｂ、１４ａ、１４ａ’）を有した形状に形成されており、表示光のうち、凸部および凹部のいずれか一方である第１部分に投射される表示光が、他方である第２部分に投射される表示光よりも高輝度に設定されていることを特徴とする。
【０００８】
これによれば、スクリーンの凸部、凹部に投射される表示光の輝度が互いに異なることにより、その凸部と凹部の奥行き感を強調することができる。従って、スクリーンの凹凸部に表示された画像による仮想物体の立体感をリアルに表現でき、仮想物体を立体的に視認できる。
【図面の簡単な説明】
【０００９】
【図１】本発明の第１実施形態において、車両用表示装置の全体構成を模式的に示す断面図。
【図２】図１のスクリーンに表示されるメータ画像の正面図。
【図３】図２のＩＩＩ−ＩＩＩ断面図。
【図４】図２のＩＶ−ＩＶ断面図。
【図５】第１実施形態において、バー画像を消灯させた状態を示すメータ画像の正面図。
【図６】第１実施形態において、物理量表示モードによる表示状態を示すメータ画像の正面図。
【図７】本発明の第２実施形態において、バー凸部の断面形状を示す図。
【発明を実施するための形態】
【００１０】
以下に、図面を参照しながら発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００１１】
（第１実施形態）
図１に示すように、車両Ｖの室内のうちフロントウインドシールドＷの下方には、インストルメントパネル１が配置されている。インストルメントパネル１には、後に詳述する車両用表示装置が設置される。なお、図１中の上下前後方向を示す矢印は、車両用表示装置がインストルメントパネル１に設置された状態における、車両の上下前後方向を示す。
【００１２】
車両用表示装置は、以下に説明するプロジェクタ２、反射鏡３およびスクリーン１０を備える。プロジェクタ２は、車両情報を表した画像の表示光Ｐ１を射出する。プロジェクタ２は拡大レンズ２ａを備えており、拡大レンズ２ａにより表示光Ｐ１の拡がる角度が調整される。上記画像により表される「車両情報」の具体例としては、車速、エンジン回転速度、自動変速機のシフトレンジ、燃料残量、エンジン冷却水温度、各種警告情報等が挙げられる。
【００１３】
反射鏡３は、プロジェクタ２から射出された表示光Ｐ１を、スクリーン１０へ向けて反射する。図１の例では、反射鏡３の反射面は平面形状である。スクリーン１０は透光性を有する樹脂製の板であり、後に詳述する凹凸を有した形状に形成されている。
【００１４】
反射鏡３により反射された表示光Ｐ２は、スクリーン１０のうち視認者Ｍに対して反対側（奥側）から手前側へ透過する。スクリーン１０を透過した表示光Ｐ３は視認者Ｍであるユーザの目に入る。つまり、スクリーン１０への表示光Ｐ２の投射により、スクリーン１０に表示された画像がユーザにより視認される。
【００１５】
プロジェクタ２には、電子制御装置（メータＥＣＵ４）から出力された映像信号が入力され、この映像信号に基づきプロジェクタ２は表示光Ｐ１を射出する。表示光Ｐ１（画像）は、車両情報に応じて変化する。つまり、上記映像信号は動画信号であり、スクリーン１０に表示される画像は動画である。
【００１６】
車両Ｖには、エンジンの作動を制御する電子制御装置（エンジンＥＣＵ５）が搭載されている。エンジンＥＣＵ５は、クランク角センサや燃料液面センサ、水温センサ等の各種センサの検出値に基づき、車速、燃料残量、エンジン冷却水温度等の車両情報を演算する。そして、演算した車両情報や車両運転者の操作内容等に基づき、エンジン（内燃機関）の作動をエンジンＥＣＵ５は制御する。また、エンジンＥＣＵ５は、これらの車両情報に基づきエンジン等の各種部品に異常が生じているか否かを判定し、異常が生じていると判定した場合には、その旨の信号（異常信号）をメータＥＣＵ４へ送信する。
【００１７】
メータＥＣＵ４は、エンジンＥＣＵ５から各種の車両情報を取得するとともに、エンジンＥＣＵ５および図示しない他の電子制御装置から出力された異常信号を取得する。メータＥＣＵ４は、取得した車両情報および異常信号に応じた動画を表示させるための映像信号を生成して、プロジェクタ２に出力する。メータＥＣＵ４は、映像信号の生成に要するデータ等が記憶された記憶手段と、映像信号の生成処理や、エンジンＥＣＵ５との通信処理等の各種演算処理を実行する演算処理装置と、を備える。
【００１８】
図２に示すように、スクリーン１０に表示される画像には、複数の部品が組み合わさって構成されたメータ装置を表した画像（メータ画像２０）が含まれる。上記「複数の部品」とは、以下に説明する目盛り板２１（目盛り板画像）、指針２２（指針画像）およびダイヤル２３（ダイヤル画像）である。なお、これらの目盛り板２１、指針２２およびダイヤル２３は、実在する物体ではなく画像である。以下の説明では、これらの部品画像を単に目盛り板２１、指針２２およびダイヤル２３と記載する。
【００１９】
目盛り板２１は、複数の目盛り２１ａ（目盛り画像）および数字２１ｂ（数字画像）を有する。これらの目盛り２１ａおよび数字２１ｂについても、実在する印刷物ではなく画像であり、以下の説明では、これらを単に目盛り２１ａおよび数字２１ｂと記載する。そして、指針２２は、回転して目盛り２１ａを指示する。
【００２０】
スクリーン１０に表示される画像には、背景画像２５が含まれる。背景画像２５はメータ画像２０の周囲に位置する。背景画像２５には複数のアンビエント画像２６が含まれている。アンビエント画像２６は、メータ画像２０の左右両側に配置されている。また、目盛り坂２１の円弧に沿って、複数のアンビエント画像２６が等間隔に並べて配置されている。ダイヤル２３が円環形状であるのに対し、アンビエント画像２６は、視認者Ｍ側から見て所定方向（図２の左右方向）に延びる棒形状である。なお、アンビエント画像２６は、図６に示す高輝度画像２７および低輝度画像２８に切り替わる場合があり、この点については図６を用いて後に詳述する。
【００２１】
図３および図４に示すように、スクリーン１０は、円環凸部１２、内側傾斜部１２ａおよび外側傾斜部１２ｂと、棒状凸部１５および傾斜部１５ａが形成された肉厚均一の板形状である。さらにスクリーン１０は、以下に説明する中央部１１および外周部１４を有した形状である。中央部１１は、スクリーン１０の中央部分を構成し、円環凸部１２の内周側に位置する。外周部１４は、円環凸部１２の外周側に位置する。中央部１１および外周部１４は、視認方向に対して垂直に拡がる平坦形状である。中央部１１および外周部１４は、円環凸部１２よりも視認者Ｍから離れて位置するので、凹部であるとも言える。なお、本実施形態では、スクリーン１０に対して垂直な方向が視認方向である。
【００２２】
円環凸部１２、内側傾斜部１２ａおよび外側傾斜部１２ｂは、視認者Ｍ側（手前側）に突出するように隆起した形状、かつ、視認者Ｍ側から見て円環状の形状である。内側傾斜部１２ａは、中央部１１の外周端から視認者Ｍ側に向けて徐々に隆起するように傾斜した形状である。円環凸部１２は、内側傾斜部１２ａの外周端から径方向に拡がる平坦形状である。外側傾斜部１２ｂは、外周部１４の内周端から視認者Ｍ側に向けて徐々に隆起するように傾斜した形状である。
【００２３】
棒状凸部１５および傾斜部１５ａは、手前側に突出するように隆起した形状、かつ、視認者Ｍ側から見て左右方向に延びる棒状の形状であり、外側傾斜部１２ｂの径方向外側に位置する。傾斜部１５ａは、外周部１４の所定部位から視認者Ｍ側に向けて徐々に隆起するように傾斜した形状である。棒状凸部１５は、傾斜部１５ａの上端端から外周部１４と平行に拡がる平坦形状である。
【００２４】
なお、特許請求の範囲に記載の「凸部」は、円環凸部１２および棒状凸部１５に相当する。特許請求の範囲に記載の「凹部」であって円環凸部１２に対応する凹部は、中央部１１および外周部１４のうち内側傾斜部１２ａおよび外側傾斜部１２ｂと隣接する部分（図２および図３中の符号１１ａ、１４ｂ参照）に相当する。また、棒状凸部１５に対応する凹部は、外周部１４のうち複数の棒状凸部１５の間に位置する部分（図２および図４中の符号１４ａ参照）に相当する。特許請求の範囲に記載の「連結部」であって円環凸部１２に対応する連結部は、内側傾斜部１２ａおよび外側傾斜部１２ｂに相当する。また、棒状凸部１５に対応する連結部は傾斜部１５ａに相当する。
【００２５】
図２の説明に戻り、ダイヤル２３は、複数の目盛り２１ａを取り囲む環状の形状である。目盛り板２１は、スクリーン１０の中央部１１および外周部１４に表示される。指針２２は中央部１１に表示され、ダイヤル２３は円環凸部１２、内側傾斜部１２ａおよび外側傾斜部１２ｂに表示される。したがって、ダイヤル２３は目盛り板２１よりも手前側に存在するように視認される。
【００２６】
外側傾斜部１２ｂと外周部１４との境界線がダイヤル２３の外周側の外形線に位置し、内側傾斜部１２ａと中央部１１との境界線がダイヤル２３の内周側の外形線に位置する。要するに、中央部１１および外周部１４と傾斜部１２ａ、１２ｂとの境界線は、部品画像同士の境界線と一致する。
【００２７】
そして、スクリーン１０の中央部１１および外周部１４は同一の色で表示されており、その色とは異なる色で環状凸部１２および傾斜部１２ａ、１２ｂは表示される。これにより、ダイヤル２３を径方向に跨ぐように目盛り板２１が存在すると視認させ、かつ、目盛り板２１の手前側にダイヤル２３が存在するように視認させることが促進される。なお、内側傾斜部１２ａおよび外側傾斜部１２ｂは、環状凸部１２に近づくほど、中央部１１および外周部１４の色から環状凸部１２の色まで徐々に変化するようにグラデーション表示されている。
【００２８】
円環凸部１２に投射される表示光は、凹部１１ａ、１４ｂに投射される表示光よりも高輝度に設定されている。つまり、ダイヤル２３は目盛り坂２１より高輝度の画像である。内側傾斜部１２ａおよび外側傾斜部１２ｂに投射される表示光は、円環凸部１２に近づくほど高輝度になるよう、徐々に輝度が変化するように設定されている。つまり、内側傾斜部１２ａおよび外側傾斜部１２ｂの画像はグラデーション表示されている。本明細書における「輝度」とは、光度を光源面積で割った値のことである。また、上記「光度」とは、波長毎の放射強度に波長毎の比視感度をかけた値を、積分して得られた値である。比視感度の一例として、国際度量衡総会で定められた標準比視感度が挙げられる。
【００２９】
アンビエント画像２６は棒状凸部１５および傾斜部１５ａに表示される。傾斜部１５ａと外周部１４（凹部１４ａ）との境界線がアンビエント画像２６の外周側の外形線に位置する。そして、凹部１４ａとは異なる色で棒状凸部１５および傾斜部１５ａは表示される。これにより、背景画像２５の手前側にアンビエント画像２６が存在するように視認させることが促進される。なお、傾斜部１５ａは、棒状凸部１５に近づくほど、凹部１４ａの色から棒状凸部１５の色まで徐々に変化するようにグラデーション表示されている。
【００３０】
棒状凸部１５に投射される表示光は凹部１４ａに投射される表示光よりも高輝度に設定されている。つまり、アンビエント画像２６は背景画像２５より高輝度の画像である。傾斜部１５ａに投射される表示光は、棒状凸部１５に近づくほど高輝度になるよう、徐々に輝度が変化するように設定されている。つまり、傾斜部１５ａの画像はグラデーション表示されている。なお、図２および図６では、傾斜部１５ａに表示されている画像の図示を省略している。
【００３１】
メータＥＣＵ４は、取得した車両情報に応じて映像信号を生成する。具体的には、自車両の走行速度（以下、単に車速と呼ぶ）に応じた目盛り２１ａを指示する位置に指針２２が回転するように、メータＥＣＵ４は映像信号を生成する。また、後に詳述する燃料残量およびエンジン冷却水温度を示すように（図６参照）、メータＥＣＵ４は映像信号を生成する。さらにメータＥＣＵ４は、異常信号の有無に応じて映像信号を生成する。
【００３２】
以下、図２、図５および図６を用いて、車両情報および異常信号の有無に応じた映像信号の変化、つまりメータ画像２０および背景画像２５の変化について説明する。
【００３３】
これらの画像２０、２５は、図２および図５に示す警告表示モードと、図６に示す物理量表示モードとに切り替えて表示される。いずれの表示モードであっても、メータ画像２０は共通した表示内容であり、指針２２が回転して車速を表示する。
【００３４】
異常信号が生じると、警告表示モードに切り替わり、複数の棒状凸部１５にはアンビエント画像２６が表示される。詳細には、複数のアンビエント画像２６が点灯（図２の参照）と消灯（図５参照）を繰り返す。このように、異常信号が生じている場合には、棒状凸部１５の表示態様を変化させることで、車両乗員に異常発生の旨を警告報知する。なお、アンビエント画像２６の消灯時には、棒状凸部１５には外周部１４と同じ色の画像が表示される。
【００３５】
一方、異常信号が生じていない場合には、図６に示す物理量表示モードに切り替わり、複数の棒状凸部１５には、エンジン冷却水温度および燃料残量を報知する高輝度画像２７および低輝度画像２８が表示される。高輝度画像２７は、凹部１４ａに表示される背景画像２５とは異なる色で表示され、かつ、背景画像２５よりも高輝度で表示される。低輝度画像２８は、背景画像２５および高輝度画像２７とは異なる色で表示され、かつ、高輝度画像２７よりも低輝度で表示される。
【００３６】
メータ画像２０の左側に位置する複数の棒状凸部１５のうち、燃料残量に応じた数の棒状凸部１５（図６中の斜線参照）には高輝度画像２７が表示され、他の棒状凸部１５には低輝度画像２８が表示される。また、背景画像２５のうちこれらの画像２７、２８が表示される近傍部分には、燃料残量を報知する旨の文字２５ａが表示される。したがって、メータ画像２０の左側に位置する高輝度画像２７の数を視認することで、燃料残量をユーザは認識できる。
【００３７】
メータ画像２０の右側に位置する複数の棒状凸部１５のうち、エンジン冷却水温度に応じた数の棒状凸部１５（図６中の斜線参照）には高輝度画像２７が表示され、他の棒状凸部１５には低輝度画像２８が表示される。また、背景画像２５のうちこれらの画像２７、２８が表示される近傍部分には、エンジン冷却水温度を報知する旨の文字２５ｂが表示される。したがって、メータ画像２０の右側に位置する高輝度画像２７の数を視認することで、エンジン冷却水温度をユーザは認識できる。
【００３８】
以上に説明した本実施形態の車両用表示装置は、要するに、以下に列挙する特徴を備える。そして、それらの各特徴により以下に説明する作用効果が発揮される。
【００３９】
＜特徴１＞
本実施形態では、環状凸部１２および棒状凸部１５が特許請求の範囲に記載の「凸部および凹部の一方である第１部分」に相当し、その周りに位置する凹部１１ａ、１４ｂ、１４ａが「他方である第２部分」に相当する。そして、第１部分に投射される表示光が第２部分に投射される表示光よりも高輝度に設定されている。換言すれば、スクリーン１０のうち、視認方向における同じ位置の部分同士は同じ輝度で表示され、異なる位置の部分同士は異なる輝度で表示される。
【００４０】
そのため、スクリーン１０に形成されている凹凸の奥行き、つまり視認方向における凸部１２、１５の隆起高さをユーザが確実に視認できるようになる。よって、立体視の促進を図ることができ、その結果、メータ画像２０や背景画像２５による仮想物体が実在しているかのようにユーザに錯覚させることを促進できる。
【００４１】
＜特徴２＞
本実施形態では、第１部分１５に表示される画像の表示態様を変化させる。これによれば、画像の表示態様を変化させることを、仮想物体の立体感がリアルに表現されている第１部分１５で実施するので、その変化は視認されやすく、際立った表示にできる。
【００４２】
さらに本実施形態では、上記表示態様の変化により車両乗員に警告報知する。具体的には、棒状凸部１５（第１部分）に表示されるアンビエント画像２６の表示態様を変化させることで、車両乗員に警告報知する。これによれば、スクリーン１０のうち凹凸が形成されている立体的な部分で警告報知されるので、警告報知されている旨をユーザに即座に気づかせることを促進できる。
【００４３】
＜特徴３＞
本実施形態では、第１部分１５は複数並べて配置されている。そして、車両状態の物理量の変化に対応して複数の第１部分１５の各々に対する画像の表示態様を変化させる。
【００４４】
具体的には、複数の棒状凸部１５（第１部分）のうち燃料残量および温度（所定の物理量の値）に応じた数の棒状凸部１５に表示される画像（高輝度画像２７）を、他の棒状凸部１５（低輝度画像２８）とは異なる態様で表示させる。これにより、車両乗員に燃料残量および温度（所定の物理量の値）を報知する。換言すれば、低輝度画像２８よりも高輝度で表示される高輝度画像２７の数を、所定の物理量の値に応じて増減させる。
【００４５】
したがって、このような構成の本実施形態によれば、スクリーン１０のうち凹凸が形成されている立体的な部分で物理量が報知されるので、物理量の変化をユーザが視認し易くなる。
【００４６】
＜特徴４＞
本実施形態では、第１部分１５は複数並べて配置されている。そして、車両状態の物理量の変化に対応して複数の第１部分１５の各々に対する画像の表示態様を変化させること、および第１部分１５に対する画像の表示態様を変化させること、を切り替えるように設定されている。
【００４７】
具体的には、物理量表示モードと警告表示モードとを切り替えて表示する。物理量表示モードでは、複数の棒状凸部１５（第１部分）のうち所定の物理量に応じた数の棒状凸部１５に表示される画像を他の棒状凸部１５とは異なる態様で表示させる。警告表示モードでは、複数の棒状凸部１５（第１部分）に表示されるアンビエント画像２６の表示態様を変化させることで、車両のいずれかに異常が発生している旨を乗員に警告報知する。
【００４８】
これによれば、スクリーン１０のうち同一の凹凸形状部分を用いて物理量表示モードと警告表示モードとの両方を表示できる。そのため、物理量表示のための専用の凹凸形状と、警告表示のための専用の凹凸形状とを別々に形成することを不要にできる。
【００４９】
＜特徴５＞
本実施形態では、スクリーン１０は、凸部１２、１５および凹部１１ａ、１４ｂ、１４ａを連結する連結部１１ａ、１４ｂ、１５ａを有する。そして、連結部１１ａ、１４ｂ、１５ａに投射される表示光は、凸部１２、１５（第１部分）に投射される表示光の輝度と凹部１１ａ、１４ｂ、１４ａ（第２部分）に投射される表示光の輝度との間において輝度が変化するように設定されている。
【００５０】
そのため、スクリーン１０に形成されている凹凸の奥行き、つまり視認方向における凸部１２、１５の隆起高さをユーザが確実に視認できるようになることを、促進できる。
【００５１】
（第２実施形態）
上記第１実施形態では、棒状凸部１５、およびその周囲に位置する凹部１４ａは、平坦形状に形成されており、図４に示すように直線的に延びる断面形状である。これに対し、図７に示す本実施形態では、棒状凸部１５’および凹部１４ａ’は湾曲した断面形状に形成されている。そして、棒状凸部１５’の頂点部分の画像を最も高い輝度で表示し、棒状凸部１５’のうち他の部分の画像については傾斜部１５ａ’と同様にして輝度を徐々に変化させるように表示している。
【００５２】
本実施形態によっても、上記第１実施形態と同様にして、棒状凸部１５’（第１部分）に投射される表示光が、凹部１４ａ’（第２部分）に投射される表示光よりも高輝度に設定される。そのため、スクリーン１０に形成されている凹凸の奥行き、つまり視認方向における凸部１２、１５の隆起高さをユーザが確実に視認できるようになる。
【００５３】
（他の実施形態）
本発明は上記実施形態の記載内容に限定されず、以下のように変更して実施してもよい。また、各実施形態の特徴的構成をそれぞれ任意に組み合わせるようにしてもよい。
【００５４】
・上記各実施形態では、凸部１２、１５が第１部分として適用され、凸部１２、１５に投射される表示光が、凹部１１ａ、１４ｂ、１４ａに投射される表示光よりも高輝度に設定されている。これに対し、凹部１１ａ、１４ｂ、１４ａが第１部分として適用され、凹部１１ａ、１４ｂ、１４ａに投射される表示光が、凸部１２、１５に投射される表示光よりも高輝度に設定されるようにしてもよい。これによっても、凹部１１ａ、１４ｂ、１４ａと凸部１２、１５を同じ輝度で表示する場合に比べて、視認方向における凸部１２、１５の隆起高さをユーザが確実に視認できるようになる。
【００５５】
・上記各実施形態では、環状凸部１２の内側に棒状凸部１５を配置している。換言すれば、アンビエント画像２６、高輝度画像２７および低輝度画像２８を、メータ画像２０の表示領域の外に表示させている。これに反し、アンビエント画像２６、高輝度画像２７および低輝度画像２８を、メータ画像２０の表示領域の中に表示させてもよい。
【００５６】
・上記第１実施形態では、警告表示モードにおいて、アンビエント画像２６が点灯と消灯を繰り返すように表示させている。これに対し、アンビエント画像２６を消灯させることなく、アンビエント画像２６の輝度や色が所定の周期で繰り返し変化するように表示させてもよい。
【００５７】
・上記第１実施形態では、物理量表示モードにおいて、物理量に応じた数の棒状凸部１５に高輝度画像２７を表示させ、他の棒状凸部１５には低輝度画像２８を表示させている。これに対し、他の棒状凸部１５に低輝度画像２８を表示させることを廃止して、上記他の棒状凸部１５には表示光を投影させずに消灯させるようにしてもよい。
【００５８】
・上記第１実施形態では、警告表示モードおよび物理量表示モードのいずれにおいても、ダイヤル２３の表示は変化しない。これに対し、例えば警告表示モード時には、物理量表示モードとは異なる態様でダイヤル２３を表示させてもよい。例えば、警告表示モード時には、物理量表示モードに比べてダイヤル２３を高輝度で表示させる。或いは、物理量表示モードにはダイヤル２３を青色で表示し、警告表示モード時にはダイヤル２３を赤色で表示する等、モードに応じてダイヤル２３の表示色を変化させてもよい。或いは、物理量表示モードにはダイヤル２３を点灯表示し、警告表示モード時にはダイヤル２３を点滅表示させてもよい。
【００５９】
・上記第１実施形態では、警告表示モードおよび物理量表示モードのいずれにおいても、棒状凸部１５の画像を同じ色で表示させている。これに対し、警告表示モードにおけるアンビエント画像２６と、物理量表示モードにおける高輝度画像２７または低輝度画像２８とを、異なる色または異なる輝度で表示させてもよい。
【００６０】
・上記第１実施形態では、プロジェクタ２から射出された表示光Ｐ１を、反射鏡３で反射させてスクリーン１０へ入射させている。これに対し、反射鏡３を廃止して、プロジェクタ２から射出された表示光Ｐ１をスクリーン１０へ直接入射させるようにしてもよい。
【００６１】
・上記各実施形態では、車両用表示装置により表示される画像をメータ画像２０としている。これに対し、本発明に係る画像はメータ画像２０に限定されるものではなく、例えば、ナビゲーション装置による地図の画像であってもよい。この場合、例えば、地図上における自車両の位置が車両情報に相当する。
【００６２】
・上記第１実施形態では、スクリーン１０のうちダイヤル２３を表示させる部分を、視認者Ｍ側に突出させているが、この部分を視認者Ｍの反対側に凹ませるように構成してもよい。つまり、スクリーン１０の凹凸を逆向きにしてもよい。
【００６３】
・図１に示す例では、反射鏡３の反射面は平面形状であるが、反射鏡３は、表示光Ｐ１を拡大して反射する拡大鏡であってもよい。
【００６４】
・上記第１実施形態では、映像信号の生成に要するデータが記憶された記憶手段、および映像信号を生成する演算処理装置を、メータＥＣＵ４が備えている。これに対し、これらの記憶手段および演算処理装置をプロジェクタ２が備えていてもよい。
【００６５】
・上記第１実施形態では、第１部分１５に対する画像の表示態様を変化させることで、車両乗員に警告報知している。これに対し、上記表示態様の変化により警告以外の内容を報知してもよい。
【００６６】
・上記第１実施形態では、所定の物理量に応じて、表示態様を変化させる第１部分１５の数を変化させている。これに対し、上記数を変化させることなく第１部分１５の表示態様を変化させることで、所定の物理量の値を表現するようにしてもよい。
【符号の説明】
【００６７】
２…プロジェクタ、１０…スクリーン、１１ａ、１４ｂ…凹部、１４ａ、１４ａ’…（凹部（第２部分））、１２…環状凸部（凸部）、１２ａ…内側傾斜部（連結部）、１２ｂ…外側傾斜部（連結部）、１５、１５’…棒状凸部（凸部（第１部分））、１５ａ、１５ａ’…傾斜部（連結部）。
【図１】
0005962595.tif 000002
【図２】
0005962595.tif 000003
【図３】
0005962595.tif 000004
【図４】
0005962595.tif 000005
【図５】
0005962595.tif 000006
【図６】
0005962595.tif 000007
【図７】
0005962595.tif 000008